(57)【特許請求の範囲】
【請求項１】
周縁に沿って凹凸状の波曲面を形成した回転板をモーターに連結させて回転子部を形成し、該回転板の波曲面に当接する接触片を下端に配すると共にバネを付設して上下動する押圧棒の上に指圧に適した部材で押圧片を配した押圧子部を形成し、該波曲面を形成した回転板の回転に従って押圧子を上下運動させることで、動的リズムで身体に指圧作用を付与するイス用指圧装置であって、
前記回転板の回転軸から伸びたＸ字型のリンク杆の一部で波曲面に当接可能な位置に押圧子を配すると共に、該リンク杆から延設した補助杆の交叉部にスライド棒を軸着し、該スライド棒を誘導する案内溝を形成した案内杆を前記回転軸に係合させて配設し、前記スライド棒に当接する周縁部に長径部と短径部とを形成したスライド円板を軸着して成る位置変更機構部を付設したことを特徴とするイス用指圧装置。
【発明の詳細な説明】
【０００１】
【発明の属する技術分野】
本発明は、主として自動車、航空機等の乗り物の座席用イスに付設して指圧効果を与え、血流を活発化させ、疲れの解消やエコノミー症候群の防止を図る装置に関する。
【０００２】
【従来の技術】
自動車の長時間の運転や、航空機での長旅では、血液の滞留が起こり、疲れや肩凝りを起こすと共に、最近ではエコノーミー症候群という重大な疾患を招く事故の多発が報告されている。
そこで、本発明者は、これらを解消する目的で血流の改善に著効のある指圧効果を図ろうと着眼した。
【０００３】
ところで、従来、上記指圧効果を有するものとして以下の如き技術が提案されている。
（ａ）特開平２０００−５１３０２号公報「マッサージ機」には、「制御装置１３を起動すると、加圧空気供給源１２の加圧空気が圧力調整弁１１で調圧されて空気袋７に供給及び排出されるため、空気袋７が膨張及び収縮して複数の施療子３を出没作動させ、身体Ｍに指圧作用を施す。」旨の提案がなされている。
又、（ｂ）特開昭５５−９１３５７号公報「保健と疲労回復を目的としたシート及びマット」には、「自動車運転座席や補助座席のシート上の腰部，肩部または首部等の任意個所に設けた夫々の突起部４，７，１０において、今、腰部への押圧を欲する場合には、プッシュボタン２を押すと共に腰をやや前にし、レバー３を前方に倒す。これにより腰部の突起部４が座席面から約２ｃｍ刻みに出て約６ｃｍまで突出するから任意の突出位置に合わせてレバー３をはなせば突起部４は固定する。同様にして肩部や首部の押圧操作が行える。」旨の提案がなされている。
【発明が解決しようとする課題】
しかし、上記提案では、（ａ）の提案は加圧用の空気供給源や圧力調整弁及びコントローラ等を備えて装置が複雑で高価となる難点を有し、（ｂ）の提案はレバー操作で隠れた突起を突出させて固定的に配するもので、動きの指圧効果は付与できないという欠点を有している。
そこで本発明は、これら欠点を解消し、簡潔な機構で動きのある指圧効果を備えた装置を開発しようとするものである。
【０００４】
【課題を解決するための手段】
本発明のイス用指圧装置は、周縁に沿って凹凸状の波曲面を形成した回転板をモーターに連結させて回転子部を形成し、該回転板の波曲面に当接する接触片を下端に配すると共にバネを付設して上下動する押圧棒の上に指圧に適した部材で押圧片を配した押圧子部を形成し、該波曲面を形成した回転板の回転に従って押圧子を上下運動させることで、動的リズムで身体に指圧作用を付与する。
【０００５】
そして、前記回転板の回転軸から伸びたＸ字型のリンク杆の一部で波曲面に当接可能な位置に押圧子を配すると共に、該リンク杆から延設した補助杆の交叉部にスライド棒を軸着し、該スライド棒を誘導する案内溝を形成した案内杆を前記回転軸に係合させて配設し、前記スライド棒に当接する周縁部に長径部と短径部とを形成したスライド円板を軸着して成る位置変更機構部を付設して構成される。
【０００６】
【発明の実施の形態】
本発明装置は、各部を支持する枠体部１０と、動力源を配した原動機部２０と、押圧力を生み出す機構を構成する回転子部３０と、上下運動して身体を指圧する押圧子部４０と、該押圧子の位置を変更する位置変更機構部５０とから成る。
【０００７】
先ず、枠体部１０は、イスに取り付ける為の装置の枠体を成すもので、図３に示す如くモーター等の原動機部２０及び回転子部３０の軸等を支持する為の底枠１１と、押圧子部４０等を支持する為の上枠１２と、それを連結する側枠１３とから成る。但し、この枠体部１０は、上記各要素を固定する役割を果たすものであるならその形態を問わない。
【０００８】
該枠体部１０を含めて本発明装置を取り付けるのは、図１に示す如く、背中又は脚部を指圧できるようイスの背もたれ部、又は、脚載せ部等である。
該装置は、枠体部１０に囲まれて各要素が支持されているからそのまま既設のイスに取り付けが可能であるが、新たな設計の基に新設のイスに取り付けても良い。
【０００９】
次いで、該原動機部２０は、後述する回転子部３０の回転の原動力を付与するもので、モーター２１に必要に応じてギア２２等が付設される。
そして、該電動機部２０と回転子部３０との関係にあって、モーター２１と回転子３０の回転軸とがギア２２を介して直結されるタイプのものとしたのが図３であり、このとき、モーター２１には可変速のモーターを用いるのが望ましい。
【００１０】
又、図４に示す如く、１個のモーター２１に伝達機構を介して２個以上の回転子３０を回転させるものでも良く、モーター２１のギア２３に中間ギア２４を配し、一方、２個以上の回転子部３０の回転軸と同軸として従動ギア２５，２５を歯合させるタイプのものとしても良い。モーター２１に連結した中間ギア２４の回転で、従動ギア２５，２５が回転し、２個の回転子を同時に回転させ得る。
【００１１】
更に、図５に示す如く、モーター２１に駆動プーリ２６を付設する一方、回転子部３０側には従動プーリ２７，２７を配し、これにタイミングベルト２８を掛架させるタイプとしても良い。該モーター２１に連結した駆動プーリ２６の回転で、従動プーリ２７，２７が回転し、２個以上の回転子を同時に回転させ得る。
【００１２】
次いで、回転子部３０は、図３及び図６に示す如く、枠体部１０の一部に支えられた回転軸３１に円形の回転板３２を軸着して構成され、該回転軸３１が原動機部２０からの伝動で回転することは上記の通りである。
そして、該回転板３２の上側表面には、周縁に沿って後述する押圧子４３に上下動を促す凹凸状の波曲面３３を一定幅で形成する。
ここで凹凸状の波曲面３３とは、押圧子４３を上下動させて身体に指圧効果を付与する共にその上下動にリズム感を与えて指圧効果に変化をもたらすことを狙いとするもので、その狙いに沿って波の軌跡を描く凹凸状の曲面をいう（図９参照）。
【００１３】
その波の軌跡を描く曲面の例を説明すると、以下の如き具体例を挙げることができる。
（Ａ）強波２回型
立ち上がりの急傾斜のウエーブから頂点に達し、その後は緩やかなカーブで徐々に下降するウエーブを描く。強い押圧の後、緩やかな緩和が続き、再度強い押圧と緩やかな緩和が続く波を描くタイプのもの。
（Ｂ）サインカーブ型
サインカーブ又はコサインのウエーブが描かれ、一定強さの押圧が一定時間毎に規則的に繰り返されるタイプのもの。
（Ｃ）強弱波混合型
急傾斜の高い波の後、小さな緩やかな波が２回続き、強い刺激の後に、弱い刺激が２回加わり、強弱の刺激が混合されるタイプのもの。
（Ｄ）緩和型
緩やかなカーブでしかし高い頂点を形成し、その後急傾斜で降下させ、（ａ）と逆で、ゆっくりと押圧した後、急に圧力を解き、圧力がスッと抜ける感覚を付与するタイプのもの。
【００１４】
次いで、押圧子部４０は、図６に示す如くで、枠体部１０から伸びた支持杆４１の一部で上記回転板３２の凹凸状の波曲面３３に当接可能な位置に、取付孔４２ａを穿設した固定片４２を配すると共に、そこに押圧子４３を装着する。
該押圧子４３は、下部が回転板３２の波曲面３３に当接する接触片４４を配し、その上に押圧棒４６を配すると共に接触片４４と固定片４２との間に復帰用のバネ４８を付設し、更に上端部に指圧に適した部材で構成する押圧片４７を形成して成る。該接触片４４には、波曲面３３との摩擦を可及的に少なくするよう、例えば嵌合片４５内で自由回転する回転球を配する。
即ち、回転する波曲面３３の坂面に当接した接触片４４が押し上げられると、バネ４８が圧縮されて押圧棒４６が上動し、押圧片４７が一定高さに持ち上げられ、逆に、波曲面３３が下り坂になると、バネ４８の弾性復帰力で押圧棒４６が下動し、押圧片４７が下げられる機構とする。
尚、押圧片４７の指圧に適した部材とは、指圧に適した硬度のゴム又はプラスチック等を指すが、これに限定されない。又、固定片４２と押圧棒４６との接合部４２ｂにはポリアセタール樹脂等の摩擦の少ない部材を配するのが望ましい。
【００１５】
更に、位置変更機構部５０は、図７及び図８に示す如く、回転軸３１から伸びたＸ字型のリンク杆５１，５１を設け、そのリンク杆５１，５１の先端で波曲面３３に当接可能な位置に上記押圧子４３を配する固定片４２を配する。
該Ｘ字型のリンク杆５１，５１には補助杆５２，５２を連結し、その交叉部にスライド棒５３を軸着し、該スライド棒５３の移動を促す案内溝５４ａを形成した案内杆５４を回転軸３１に係合させて配設すると共に圧縮バネ５６を付設する。
そして、該スライド棒５３に当接する長径部５５ａ及び短径部５５ｂとを形成したスライド円板５５を、回転軸３１に軸着して形成する。即ち、該スライド円板５５の長径部５５ａがスライド棒５３と当接しているときは、該スライド棒５３を外側に押しやり、逆に短径部５５ｂがスライド棒５３と当接しているときにはスライド棒５３が内側となる機構を形成する。
このとき、スライド棒５３がスライド円板５５と接触する部位にはベアリングを介設して摩擦を少なくさせるのが望ましい（図示省略）。
【００１６】
更に、上記指圧効果に加えて必要に応じてバイブレーションを与えたい場合には、枠体部１０の一部にバイブレーターを連結させ、その振動を押圧子に伝達させる機構を採ることができる（図示省略）。
【００１７】
次に本発明装置の作用を説明する。
先ず、本発明装置は、枠体に囲まれて各要素が固定されているから、これをそのまま既設の座席用イスに取り付けるか、又は、枠体に係わらず新たな設計の基に新設のイスに設定しても良い。そして、対象となる取り付け位置は、主に背もたれ部又は脚部等を指すがこれに限定されるものではない。
【００１８】
そして、イスに座った人が、原動機部２０のモーター２１のスイッチを入力させると、該モーター２１の回転がギア２２を介して伝わり、回転軸３１を回転させる。
このとき、伝動機構が異なる場合には、この伝動経路を異にし、図４に示した態様では、モーター２１に連動して中間ギア２４が回転し、これに従って従動ギア２５，２５が回転する。同様に図５の態様では、駆動プーリ２６に従って従動プーリ２７，２７が回転する。
【００１９】
さて、上記回転軸３１又は従動ギア２５，２５及び従動プーリ２７，２７が回転すると、これに連動して回転子部３０の回転板３２が回転する。
そして、該回転板３２の上側表面の周縁部には、凹凸状の波曲面３３が形成され、且つ、該波曲面３３に当接して遊点自在な回転球の接触片４４がバネ４８によって下方に押圧されている。
従って、回転板３２が回転して押圧子４３の接触片４４の回転球が波曲面３３に沿って転動すると、バネ４８に抗して波曲面３３の隆起に従って押圧棒４６が上動し、その上動で該押圧棒４６の先端に形成された指圧に適した部材で構成された押圧片４７が背部等を押圧する。
逆に、該波曲面３３が下降する場合には、波曲面３３の下降傾斜面に従って接触片４４が下降し、同時に、圧縮されたバネ４８の弾発力で押圧棒４６は下方に押し戻され、上記押圧片４７によって背部等に加えられていた指圧の刺激が徐々に緩和される。
即ち、波曲面３３の凹凸の波の変化に従って押圧片４７による押圧作用とその刺激の緩和作用が一定のリズムを持って繰り返され、変化と調和のある指圧効果が背部等に加えられることになる。
【００２０】
そのリズムの特徴を図１０のタイプに従って説明すると、図１０（Ａ）に示すタイプは、最初に大きな押圧力が加えられ、強い指圧刺激が与えられる一方で、その後ゆっくりとその刺激が緩和され、比較的インパクトのある指圧効果が与えられる。
次いで、図１０（Ｂ）タイプは、押圧による指圧作用とその刺激の緩和作用とが同じ大きさと長さを持って繰り返され、均等なリズムによる指圧効果が与えられる。
図１０（Ｃ）タイプは、最初に大きな押圧力による強い刺激が加えられた後、それより小さな力の弱い刺激が数回与えられ、強弱のリズムを伴った変化に富んだ指圧効果となる。
図１０（Ｄ）タイプは、上記図１０（Ａ）タイプの逆となるもので、最初をゆっくりとした押圧力による指圧作用が働くと共に、その後瞬時のうちに押圧力が解除され、押圧とは逆の引く効果によるリズム感が生まれる。
上記は主たる例を挙げたのであって、この例に限定されることなく、波曲面３３には幾多の曲面を形成することで、多数の特徴的なリズムある指圧作用が惹起され得る。
【００２１】
さて次に、位置変更機構部５０を説明すると、図７及び図８に示す如く、回転軸３１に固着したスライド円板５５の長径部５５ａがスライド棒５３に当接している場合には、その長径部５５ａによってスライド棒５３は回転板３２の外側（図面上左側）に位置し、該スライド棒５３に連結した補助杆５２がリンク杆５１を引いて、押圧子４３を回転板３２の外側に位置させる。従って、押圧子４３は外側位置で指圧作用を促す。
次いで、スライド円板５５が回転して短径部５５ｂがスライド棒５３に当接するようになると、圧縮バネ５６によってスライド棒５３は内側（図面上右側）に移動し、該スライド棒５３に連結した補助杆５２がリンク杆５１を押して、押圧子４３を回転板３２の内側にスライドさせ、従って、押圧子４３は内側位置で指圧作用を発揮する。
即ち、位置変更機構部５０の働きで、押圧子４３は回転板３２の外側と内側との双方の位置で指圧作用を発揮し、背部であったらその背中の外側よりと内側よりとの双方を刺激することができ、指圧ポイントの数が倍増される。
【００２２】
上記構成から成る本発明装置は、上述の如く、運転の疲れやエコノミー症候群と云われる疾病を防止することを目的とするもので、主として乗用車やトラック、バス等の自動車の座席や航空機の座席に適用され得るが、その他新幹線等の電車の座席や船舶の座席等に活用でき、更に、家庭用のイスにおいても応用が可能である。
【００２３】
【発明の効果】
上記構成及び作用に基づいて本発明は、以下の如き優れた効果を奏する。
【００２４】
自動車、航空機等の乗物の長旅にあって、座席用イスに付設して快適な指圧効果を与えることができるので、疲れの解消やエコノミー症候群の防止を図ることができると共に、その機構が、複雑な油圧や空気圧等を要せず、回転子と押圧子との有機的な連携によって生まれる簡潔なもので実現されるという実現性に富んだものとなる。
【００２５】
その際、波の軌跡を描く凹凸状の回転板の曲面に沿った押圧子の上下動により、身体に指圧効果を付与する共に、その上下動に幾多のリズム感のある動的な指圧が付与でき、単調な指圧に比べて極めて快適で変化に富んだ指圧を効果を楽しむことができる。
【００２６】
更に、位置変更機構によって、外側と内側とに指圧子の位置が自動的に変更され、指圧ポイントを倍増させることができ、全身的で偏りのない指圧効果を導くことができる。
【図面の簡単な説明】
【図１】本発明装置をイスに装着した状態の正面図。
【図２】本発明装置の正面図。
【図３】同上側面図。
【図４】本発明装置の原動機部の別の態様の正面図。
【図５】本発明装置の原動機部の更に別の態様の正面図。
【図６】本発明装置の押圧子部の拡大断面図で、（Ａ）が下動時、（Ｂ）が上動時を示す。
【図７】本発明装置の位置変更機構部を示す平面図図。
【図８】同上側断面図。
【図９】本発明装置の回転子部を示す斜視図。
【図１０】波曲面によって描かれる波の軌跡を表した図。
【符号の説明】
１０  枠体部
１１  底枠
１２  上枠
１３  側枠
２０  原動機部
２１  モーター
２２，２３  ギア
２４  中間ギア
２５  従動ギア
２６  駆動プーリ
２７  従動プーリ
２８  タイミングベルト
３０  回転子部
３１  回転軸
３２  回転板
３３  波曲面
４０  押圧子部
４１  支持杆
４２  固定片
４２ａ  取付孔
４３  押圧子
４４  接触片
４５  嵌合片
４６  押圧棒
４７  押圧片
４８  バネ
５０  位置変更機構部
５１  リンク杆
５２  補助杆
５３  スライド棒
５４  案内杆
５４ａ  案内溝
５５  スライド円板
５５ａ  長径部
５５ｂ  短径部
５６  圧縮バネ
【図１】
0003860747.tif 000002
【図２】
0003860747.tif 000003
【図３】
0003860747.tif 000004
【図４】
0003860747.tif 000005
【図５】
0003860747.tif 000006
【図６】
0003860747.tif 000007
【図７】
0003860747.tif 000008
【図８】
0003860747.tif 000009
【図９】
0003860747.tif 000010
【図１０】
0003860747.tif 000011